(57)【特許請求の範囲】
【請求項１】
サービス提供者の映像配信処理装置とシステム利用者の装置とが接続されたネットワークにおいて、コンテンツ鑑賞に使用する映像配信サービスシステムであって、
前記サービス提供者の映像配信処理装置が、
配信する映像コンテンツと、前記映像コンテンツの加工を許容するシーンの情報の入力を受ける手段と、
前記サービス提供者の映像配信処理装置が、前記システム利用者の装置からのコンテンツの鑑賞要求を受信すると、前記鑑賞要求で要求された映像コンテンツおよび前記映像コンテンツの加工を許容するシーンの情報を、前記システム利用者の装置に配信する手段と、
前記映像コンテンツの加工を許容するシーンの配信映像とシステム利用者の装置から受信した映像とを合成する手段と、
該合成された映像を前記システム利用者の装置に配信する手段とを具備し、
前記システム利用者の装置が、
前記サービス提供者の映像配信処理装置へコンテンツの鑑賞要求を送信する手段と、
前記サービス提供者の映像配信処理装置から受信した前記加工を許可するシーンの情報をもとに撮影された映像を前記サービス提供者の映像配信処理装置に送信する手段とを具備することを特徴とする映像配信サービスシステム。
【請求項２】
サービス提供者の映像配信処理装置とシステム利用者の装置とが接続されたネットワークにおいて、コンテンツ鑑賞に使用する映像配信サービスシステムであって、
前記サービス提供者の映像配信処理装置が、
配信する映像コンテンツと、前記映像コンテンツの加工を許容するシーンの情報の入力を受ける手段と、
前記サービス提供者の映像配信処理装置が、前記システム利用者の装置からのコンテンツの鑑賞要求を受信すると、前記鑑賞要求で要求された映像コンテンツおよび前記映像コンテンツの加工を許容するシーンの情報を、前記システム利用者の装置に配信する手段と、
前記映像コンテンツの加工を許容するシーンの配信映像とシステム利用者の装置から受信した音声とを合成する手段と、
該合成された映像を前記システム利用者の装置に配信する手段とを具備し、
前記システム利用者の装置が、
前記サービス提供者の映像配信処理装置へコンテンツの鑑賞要求を送信する手段と、
前記サービス提供者の映像配信処理装置から受信した前記加工を許容するシーンの情報をもとに録音された音声を前記サービス提供者の映像配信処理装置に送信する手段とを具備することを特徴とする映像配信サービスシステム。
【発明の詳細な説明】
【０００１】
【発明の属する技術分野】
本発明は、映像（画像）コンテンツ所有者の装置とサービス提供者の装置とシステム利用者（ユーザ）の機器（装置）とが接続されたネットワークにおいて、映画などのコンテンツ鑑賞に使用する映像配信サービスシステムに関するものである。
【０００２】
【従来の技術】
近年、映像（画像）データのデジタル化が進み、ネットワークを介して各家庭に配信するサービスが実施されている。現在、ネットワーク帯域が数十ｋｂｐｓ程度の伝送速度が主流で、家庭への高画質の映像伝送サービスは、まだ、実現されていないが、伝送帯速度の高速化は急激に進み、現行のテレビジョンなみからＨＤＴＶなみの高画質伝送も可能になりつつある。このため、従来の映画興行でもデジタル配信して提供するサービスが生まれつつある。
【０００３】
【発明が解決しようとする課題】
しかし、前記サービスでは、単なる映像伝送サービスであり、利用者は、映像選択し鑑賞するサービスを得るのにとどまっている。特に、映画鑑賞では、従来の映画と同様に映画を見るだけで、映像がデジタル化されたことによるサービス面での恩恵は何も受けていない。利用可能なサービスは従来どおり、映画館での鑑賞と、鑑賞したものとまったく同じ内容のビデオテープやＤＶＤで購入して鑑賞するだけである。
【０００４】
本発明の目的は、デジタルデータによる映像配信のメリットを生かし、顧客への情報提供のサービスを向上させることが可能な技術を提供することにある。
【０００５】
本発明の他の目的は、配信映像とサービス利用者の映像や音声情報を合成して、利用者独自のコンテンツを提供するサービスを実現することにある。
本発明の前記ならびにその他の目的と新規な特徴は、本明細書の記述及び添付図面によって明らかにする。
【０００６】
【課題を解決するための手段】
本願において開示される発明の概要を簡単に説明すれば下記のとおりである。
【００１１】
第１の発明は、サービス提供者の映像配信処理装置とシステム利用者の装置とが接続されたネットワークにおいて、コンテンツ鑑賞に使用する映像配信サービスシステムであって、前記サービス提供者の映像配信処理装置が、配信する映像コンテンツと、前記映像コンテンツの加工を許容するシーンの情報の入力を受ける手段と、前記サービス提供者の映像配信処理装置が、前記システム利用者の装置からのコンテンツの鑑賞要求を受信すると、前記鑑賞要求で要求された映像コンテンツおよび前記映像コンテンツの加工を許容するシーンの情報を、前記システム利用者の装置に配信する手段と、前記映像コンテンツの加工を許容するシーンの配信映像とシステム利用者の装置から受信した映像とを合成する手段と、該合成された映像を前記システム利用者の装置に配信する手段とを具備し、前記システム利用者の装置が、前記サービス提供者の映像配信処理装置へコンテンツの鑑賞要求を送信する手段と、前記サービス提供者の映像配信処理装置から受信した前記加工を許可するシーンの情報をもとに撮影された映像を前記サービス提供者の映像配信処理装置に送信する手段とを具備するものである。
【００１２】
第２の発明は、サービス提供者の映像配信処理装置とシステム利用者の装置とが接続されたネットワークにおいて、コンテンツ鑑賞に使用する映像配信サービスシステムであって、前記サービス提供者の映像配信処理装置が、配信する映像コンテンツと、前記映像コンテンツの加工を許容するシーンの情報の入力を受ける手段と、前記サービス提供者の映像配信処理装置が、前記システム利用者の装置からのコンテンツの鑑賞要求を受信すると、前記鑑賞要求で要求された映像コンテンツおよび前記映像コンテンツの加工を許容するシーンの情報を、前記システム利用者の装置に配信する手段と、前記映像コンテンツの加工を許容するシーンの配信映像とシステム利用者の装置から受信した音声とを合成する手段と、該合成された映像を前記システム利用者の装置に配信する手段とを具備し、前記システム利用者の装置が、前記サービス提供者の映像配信処理装置へコンテンツの鑑賞要求を送信する手段と、前記サービス提供者の映像配信処理装置から受信した前記加工を許容するシーンの情報をもとに録音された音声を前記サービス提供者の映像配信処理装置に送信する手段とを具備するものである。
【００１４】
本発明のポイントは、映像配信サービスシステムであって、配信する映像コンテンツに加工を許容するシーンの情報を入力（付加）する機能と、システム利用者のカメラ映像を受信する機能と、該加工を許容するシーンの配信映像とシステム利用者映像とを合成する機能と、該合成された映像を配信する機能を有するものである。
【００１５】
また、システム利用者の音声を受信する機能と、該加工を許容するシーンの配信映像とシステム利用者の音声とを合成する機能と、該合成された映像を配信する機能を有するものである。
【００１６】
前述のように、本発明によれば、デジタルデータによる映像配信のメリットを生かし、顧客への情報提供のサービス性を向上させることが可能な技術を提供することができる。
【００１７】
また、配信映像とサービス利用者の映像や音声情報を合成して、利用者独自のコンテンツを提供するサービスを実現することができる。
【００１８】
【発明実施の形態】
以下、本発明について、図面を参照して本発明の実施の形態（実施例）とともに詳細に説明する。
なお、実施例を説明するための全図において、同一機能を有するものは同一符号を付け、その繰り返しの説明は省略する。
【００１９】
（実施例１）
図１は、本発明の実施例１の映像配信サービスシステムの概略構成を示す図である。図１において、Ａはコンテンツ登録者、Ｂはシステム利用者、１はサービス提供者の映像配信処理装置（映像コンテンツ所有者のコンテンツ記憶装置を含む）、２はサービス提供者の端末装置、３はシステム利用者（ユーザ）の装置（機器）、４はネットワーク、３１は映像送受信装置、３２は映像要求装置、３３はカメラ、３４は表示装置である。
【００２０】
本実施例１の映像配信サービスシステムは、図１に示すように、サービス提供者の映像配信処理装置（映像コンテンツ所有者のコンテンツ記憶装置を含む）１とサービス提供者の端末装置２とシステム利用者（ユーザ）側の装置３とが接続されたネットワーク４で構成されている。前記サービス提供者側には映像コンテンツ所有者のコンテンツ記憶装置と映像配信処理装置１とサービス提供者の端末装置２が備えられ、映像配信処理装置１とサービス提供者の端末装置２とはネットワーク４で接続されている。
【００２１】
前記映像配信処理装置１は、コンテンツをネットワーク４に配信するために圧縮処理し映像情報を蓄積・登録する手段を有する。また、配信する映像コンテンツに加工を許容するシーンの情報を入力（付加）する手段を有する。また、システム利用者の映像、例えば、システム利用者のカメラ３３の映像を受信し、前記加工を許容するシーンの配信映像と前記システム利用者（映像カメラ３３の映像）を合成する手段と、該合成された映像を配信する手段とを有する。
【００２２】
前記システム利用者（ユーザ）端末装置（例えば、パーソナルコンピュータ：ＰＣなど）３は、映像送受信装置３１、映像要求装置３２、カメラ３３、及び表示装置３４を備えている。
【００２３】
また、前記サービス提供者の機器３は、サービスの対象となる映画などのコンテンツが、コンピュータが読み出し可能に書き込まれたフロッピーディスク、ＣＤ、ＤＶＤ、ビデオテープなどの記録媒体を備えている。
【００２４】
本実施例１の映像配信サービスシステムは、システム利用者の動映像を合成したコンテンツを提供するサービスに使用する。以下、本実施例１の映像配信サービスシステムの概略構成と動作処理シーケンスについて図１及び図２を用いて説明する。
【００２５】
図２は、本実施例１の映像配信サービスシステムの映像配信サービスの処理動作の手順を示すフローチャートである。
【００２６】
図２に示すように、まず、サービス提供者側のコンテンツ登録者Ａからのコンテンツ▲１▼をネットワーク４に配信するために、映像コンテンツ所有者の映像配信処理装置１で圧縮処理して蓄積・登録する（Ｓ２０１）。次に、コンテンツ加工を許容するシーンの情報▲２▼として、例えば、コンテンツタイトルと加工を許容するシーンのタイムコードを映像配信処理装置１に入力する（Ｓ２０２）。次に、図３に示すように、コンテンツのタイムコードで合成開始タイムコードと合成終了タイムコードを指定する（Ｓ２０３）。
【００２７】
次に、コンテン利用者Ｂは、鑑賞したいコンテンツを映像要求装置３２から選択し、コンテンツの鑑賞要求▲３▼を映像送受信装置３１に送信する（Ｓ２０４）。次に、映像送受信装置３１は、映像配信処理装置１に対してコンテンツの配信要求▲４▼をネットワーク４を介して送信する（Ｓ２０５）。映像配信処理装置１は、要求された映像及びコンテンツ加工を許容するシーンの情報▲５▼を検索し、この検索したデータ▲６▼をネットワーク４を介して映像送受信装置３１に配信する（Ｓ２０６）。
【００２８】
映像送受信装置３１は、前記配信されたコンテンツ（丸７）を伸張処理し、表示装置３４に送信するとともに、加工を許容するシーン情報をもとに、該シーンになったらカメラ３３が動作するよう指示（丸８）を送信する（Ｓ２０７）。撮影されたカメラ映像（丸９）は、映像送受信装置３１に送られ、ネットワーク４で配信できるように、（丸１０）の圧縮処理が行なわれ、その圧縮処理情報は映像配信処理装置に送信される（Ｓ２０８）。また、鑑賞されたコンテンツ情報として、例えば、タイトル情報も同時に送られる。
【００２９】
次に、映像配信処理装置１は、送信されてきたコンテンツタイトル情報をもとに配信コンテンツを検索し、この検索された配信コンテンツと前記送信されてきたカメラ映像（丸９）とを合成する（Ｓ２０９）。この合成方法の例を図４に示す。例えば、図４（Ａ）に示すように、コンテンツ映像を主として合成するパターン、あるいは、図４（Ｂ）に示すように、カメラ映像を主として合成するパターンで合成する。あるいは、前記パターンであっても、図４（Ｃ）に示すように、利用者の顔のみを抽出してコンテンツ映像を合成してもよい。
【００３０】
このように合成された映像は、フロッピーディスク、ＣＤ、ＤＶＤ、ビデオテープなどの記録媒体に書き込まれ、コンテンツ登録者Ａの縦走に送付されるか、あるいは、映像配信処理装置１から利用者Ｂの装置（端末）３に前記合成された映像をネットワーク４を介して配信する（Ｓ２１０）。
【００３１】
なお、以上示した実施例では、合成パターンを図４のように記述したが、これに限ることはなく、コンテンツと合成される領域があればよい。
【００３２】
（実施例２）
図５は、本発明の実施例２の映像配信サービスシステムの概略構成を示す図であり、３５はマイクロホンである。本実施例２は、前記実施例１と同様にして、前記コンテンツ加工を許容するシーンの情報▲２▼として音声を用いた場合の例である。
【００３３】
以下、本実施例２の映像配信サービスシステムの概略構成と動作処理シーケンスについて図５及び図６を用いて説明する。
【００３４】
図６は、本実施例２の映像配信サービスシステムの映像配信サービスの処理動の手順を示すフローチャートである。
【００３５】
図６に示すように、まず、コンテンツ登録者Ａからのコンテンツ▲１▼をネットワーク４に配信するために圧縮処理し、映像配信処理装置１に蓄積・登録する（Ｓ３０１）。次に、コンテンツ加工を許容するシーンの情報▲２▼として、例えば、コンテンツタイトルと加工を許容するシーンのタイムコードを映像配信処理装置１に入力する（Ｓ３０２）。次に、図３に示すように、コンテンツのタイムコードで合成開始タイムコードと合成終了タイムコードを指定する（Ｓ３０３）。
【００３６】
次に、コンテン利用者Ｂは、鑑賞したいコンテンツを映像要求装置３２から選択し、コンテンツの鑑賞要求▲３▼を映像送受信装置３１に送信する（Ｓ３０４）。次に、映像送受信装置３１は、映像配信処理装置１に対してコンテンツの配信要求▲４▼をネットワーク４を介して送信する（Ｓ３０５）。映像配信処理装置１は、要求された映像及びコンテンツ加工を許容するシーンの情報▲５▼を検索し、この検索したデータ▲６▼をネットワーク４を介して映像送受信装置３１に配信する（Ｓ３０６）。
【００３７】
映像送受信装置３１は、前記配信されたコンテンツ（丸７）を伸張処理し、表示装置３４に送信するとともに、加工を許容するシーン情報をもとに、該シーンになったらマイクロホン３５が動作するよう指示（丸８）を送信する（Ｓ３０７）。マイクロホン３５で録音された音声情報（丸９）は、映像送受信装置３１に送られ、映像送受信装置３１でネットワーク４で配信できるように、（丸１０）の圧縮処理が行なわれ、その圧縮処理情報は映像配信処理装置に送信される（Ｓ３０８）。また、鑑賞されたコンテンツ情報として、例えば、タイトル情報も同時に送られる。
【００３８】
次に、映像配信処理装置１は、配信されてきたコンテンツタイトル情報をもとに配信コンテンツを検索し、この検索された配信コンテンツと前記送信されてきた音声（丸９）とを合成する（Ｓ３０９）。
【００３９】
このように合成された映像は、フロッピーディスク、ＣＤ、ＤＶＤ、ビデオテープなど記録媒体に書き込まれ、利用者の縦走に送付されるか、あるいは、映像配信処理装置１から利用者の端末に合成映像をネットワークを介して配信する（Ｓ３１０）。
【００４０】
以上、本発明者によってなされた発明を、前記実施形態に基づき具体的に説明したが、本発明は、前記実施形態に限定されるものではなく、その要旨を逸脱しない範囲において種々変更可能であることは勿論である。
【００４１】
【発明の効果】
本願において開示される発明によって得られる効果を簡単に説明すれば、下記のとおりである。
本発明によれば、デジタルデータによる映像配信のメリットを生かし、顧客への情報提供のサービスを向上させることができる。
【００４２】
また、配信映像とサービス利用者の映像や音声情報を合成して、利用者独自のコンテンツを提供するサービスを実現することができる。これらにより、利用者へのサービスの拡大が図れる。
【図面の簡単な説明】
【図１】本発明の実施例１の映像配信サービスシステムの概略構成を示す図である。
【図２】本実施例１の映像配信サービスシステムの映像配信サービスの処理動作の手順を示すフローチャートである。
【図３】本実施例１の加工許容シーンの特定方法を説明するための図である。
【図４】本実施例１の映像合成パターンを示す図である。
【図５】本発明の実施例２の映像配信サービスシステムの概略構成を示す図である。
【図６】本実施例１の映像配信サービスシステムの映像配信サービスの処理動作の手順を示すフローチャートである。
【符号の説明】
Ａ…コンテンツ登録者              Ｂ…システム利用者
１…映像配信処理装置              ２…サービス提供者の装置
３…システム利用者の装置          ４…ネットワーク
３１…映像送受信装置              ３２…映像要求装置
３３…カメラ                      ３４…表示装置
３５…マイクロホン
【図１】
0003988858.tif 000002
【図２】
0003988858.tif 000003
【図３】
0003988858.tif 000004
【図４】
0003988858.tif 000005
【図５】
0003988858.tif 000006
【図６】
0003988858.tif 000007